(57)【要約】【課題】不特定多数のユーザが利用する車両に搭載される場合であっても、ユーザの個人的な利用による楽曲データの再生を可能にする。【解決手段】車両の乗員を識別して乗員ＩＤ番号を制御回路１５のメモリに記憶させ（Ｓ１００）、乗員の操作に応じて楽曲データを記憶手段に記憶させる場合、制御回路１５のメモリに記憶された乗員ＩＤ番号を楽曲データと関連付けて格納ＩＤ番号として制御回路１５のメモリに記憶させ（Ｓ１０６）、乗員による再生指示操作があった場合、楽曲データと関連付けて記憶された格納ＩＤ番号に乗員ＩＤ番号と一致するものが含まれるか否かを判定し（Ｓ１１０）、格納ＩＤ番号が乗員ＩＤ番号と一致する楽曲データのみを再生する（Ｓ１１４）。【選択図】図２
2009158034.tif 000002
【特許請求の範囲】
【請求項１】
車両に搭載され、乗員の操作に応じて楽曲データを記憶手段に記憶させる機能を有する車載楽曲再生装置であって、
前記車両の乗員を識別するための情報を取得して前記乗員識別情報を記憶手段に記憶させる乗員識別情報記憶手段と、
前記乗員の操作に応じて前記楽曲データを前記記憶手段に記憶させる場合、前記記憶手段に記憶された前記乗員識別情報を前記楽曲データと関連付けて前記記憶手段に記憶させる楽曲データ記憶制御手段と、
前記乗員による再生指示操作があった場合、前記楽曲データ記憶制御手段により前記楽曲データと関連付けて記憶された前記乗員識別情報に前記乗員識別情報記憶手段により前記記憶手段に記憶された前記乗員識別情報と一致するものが含まれるか否かを判定する判定手段と、
前記判定手段により前記楽曲データと関連付けて記憶された前記乗員識別情報に前記記憶手段に記憶された前記乗員識別情報と一致するものが含まれると判定された場合、前記乗員識別情報の一致する楽曲データを再生する再生手段と、を備えたことを特徴とする車載楽曲再生装置。
【請求項２】
前記乗員識別情報記憶手段は、新たな乗員を識別するための乗員識別情報を取得した場合、前記新たな乗員を示す乗員識別情報を前記記憶手段に追加して記憶することを特徴とする請求項１に記載の車載楽曲再生装置。
【請求項３】
前記乗員識別情報記憶手段は、前記特定の乗員の乗員識別情報を取得しなくなった場合、前記特定の乗員を示す乗員識別情報を前記記憶手段から削除することを特徴とする請求項１または２に記載の車載楽曲再生装置。
【請求項４】
前記判定手段により前記楽曲データと関連付けて記憶された前記乗員識別情報に前記記憶手段に記憶された前記乗員識別情報と一致するものが含まれると判定された場合、前記乗員識別情報の一致する楽曲データのみを表示手段に表示させる表示制御手段を備えたことを特徴とする請求項１ないし３のいずれか１つに記載の楽曲記憶再生装置。
【発明の詳細な説明】
【技術分野】
【０００１】
本発明は、車両に搭載され、乗員の操作に応じて楽曲データを記憶手段に記憶させる機能を有する車載楽曲再生装置に関するものである。
【背景技術】
【０００２】
この種の装置として、ＣＤ、ＤＶＤ等の記憶媒体に記憶された楽曲やその映像を記憶媒体にコピーして蓄積し、記憶媒体に蓄積した楽曲データを再生するサーバ機能を有する車載再生装置がある。
【０００３】
また、プリセレクトしたオーディオ放送を自動的に記憶媒体に記憶させることができる車載オーディオシステムがある（例えば、特許文献１参照）。
【特許文献１】ＵＳ５６７１１９５号公報
【発明の開示】
【発明が解決しようとする課題】
【０００４】
上記したような楽曲やその映像等を記憶媒体に記憶させ、記憶媒体に記憶させたものを再生できる装置では、ユーザの個人的な利用を想定して記憶媒体に記憶させた各種データの再生が認められている。
【０００５】
したがって、例えば、公用車やレンタカーなど、不特定多数のユーザが利用する車両に上記したような装置を搭載する場合には、著作権保護の観点からサーバ機能を停止させたり記憶媒体から楽曲データを消去させたりする等、楽曲データを再生できなくするような対策が必要となり、ユーザの個人的な利用による楽曲データの再生もできなくなってしまうといった問題がある。
【０００６】
本発明は上記問題に鑑みたもので、不特定多数のユーザが利用する車両に搭載される場合であっても、ユーザの個人的な利用による楽曲データの再生を可能にすることを目的とする。
【課題を解決するための手段】
【０００７】
上記目的を達成するため、請求項１に記載の発明は、車両に搭載され、乗員の操作に応じて楽曲データを記憶手段に記憶させる機能を有する車載楽曲再生装置であって、車両の乗員を識別するための情報を取得して乗員識別情報を記憶手段に記憶させる乗員識別情報記憶手段と、乗員の操作に応じて楽曲データを記憶手段に記憶させる場合、記憶手段に記憶された乗員識別情報を楽曲データと関連付けて記憶手段に記憶させる楽曲データ記憶制御手段と、乗員による再生指示操作があった場合、楽曲データ記憶制御手段により楽曲データと関連付けて記憶された乗員識別情報に乗員識別情報記憶手段により記憶手段に記憶された乗員識別情報と一致するものが含まれるか否かを判定する判定手段と、判定手段により楽曲データと関連付けて記憶された乗員識別情報に記憶手段に記憶された乗員識別情報と一致するものが含まれると判定された場合、乗員識別情報の一致する楽曲データを再生する再生手段と、を備えたことを特徴としている。
【０００８】
このような構成では、乗員による再生指示操作があった場合、楽曲データと関連付けて記憶された乗員識別情報に記憶手段に記憶された乗員識別情報と一致するものが含まれるか否かを判定し、楽曲データと関連付けて記憶された乗員識別情報に記憶手段に記憶された乗員識別情報と一致するものが含まれると判定された場合、乗員識別情報の一致する楽曲データのみ再生される。すなわち、不特定多数のユーザが利用する車両に搭載される場合であっても、ユーザの個人的な利用による楽曲データの再生を可能にすることができる。なお、楽曲データは、音声データのみとしてもよく、映像データのみとしてもよく、音声データおよび映像データとしてもよい。
【０００９】
また、請求項２に記載の発明は、乗員識別情報記憶手段が、新たな乗員を識別するための乗員識別情報を取得した場合、新たな乗員を示す乗員識別情報を記憶手段に追加して記憶することを特徴としている。
【００１０】
このような構成では、新たな乗員を識別するための乗員識別情報を取得した場合、新たな乗員を示す乗員識別情報が記憶手段に追加して記憶されるので、車両に新たな乗員が乗車した場合に、新たな乗員を示す乗員識別情報と楽曲データと関連付けて記憶された乗員識別情報とが一致する楽曲データを再生させることが可能である。
【００１１】
また、請求項３に記載の発明は、乗員識別情報記憶手段は、特定の乗員の乗員識別情報を取得しなくなった場合、特定の乗員を示す乗員識別情報を記憶手段から削除することを特徴としている。
【００１２】
このような構成では、特定の乗員の乗員識別情報を取得しなくなった場合、特定の乗員を示す乗員識別情報が記憶手段から削除されるので、車両から特定の乗員が降車した場合に、特定の乗員を示す乗員識別情報と楽曲データと関連付けて記憶された乗員識別情報とが一致する楽曲データを再生させないようにすることが可能である。
【００１３】
また、請求項４に記載の発明は、判定手段により楽曲データと関連付けて記憶された乗員識別情報に記憶手段に記憶された乗員識別情報と一致するものが含まれると判定された場合、乗員識別情報の一致する楽曲データのみを表示手段に表示させる表示制御手段を備えたことを特徴としている。
【００１４】
このような構成では、乗員識別情報の一致する楽曲データのみが表示手段に表示されるので、乗員は再生可能な楽曲データを視認することができる。
【発明を実施するための最良の形態】
【００１５】
（第１実施形態）
本発明の一実施形態に係る車載楽曲再生装置の構成を図１に示す。本車載楽曲再生装置は、ナビゲーション装置１０、デジタルラジオ装置２０、オーディオ装置３０および乗員認証装置４０を備えている。
【００１６】
ナビゲーション装置１０は、ＧＰＳ受信機１１、ハードディスクドライブ１２、表示装置１３、操作スイッチ群１４および制御回路１５を備えている。
【００１７】
ＧＰＳ受信機１１は、ＧＰＳ衛星からの電波を受信して現在位置を特定するための測信号を制御回路１５へ出力する。
【００１８】
ハードディスクドライブ１２は、地図データや楽曲データ等の各種データを記憶するための記憶装置である。
【００１９】
表示装置１３は、液晶等のディスプレイを有し、制御回路１５から入力される映像信号に応じた映像をディスプレイに表示させる。
【００２０】
操作スイッチ群１４は、表示装置１３のディスプレイの前面に重ねて設けられたタッチスイッチ、表示装置１３のディスプレイの周囲に設けられた押しボタンスイッチ等の各種スイッを有しており、乗員によるスイッチ操作に応じた信号を制御回路１５へ出力する。
【００２１】
制御回路１５は、ＣＰＵ、メモリ、Ｉ／Ｏ等を備えたコンピュータとして構成されており、ＣＰＵはメモリに記憶されたプログラムに従って各種処理を実施する。
【００２２】
制御回路１５の処理としては、ＧＰＳ受信機１１より入力される測位信号に基づいて車両の現在位置を特定する現在位置特定処理、車両の現在位置周辺の地図上に自車位置マークを重ねて表示させる現在位置表示処理、目的地までの案内経路を探索するとともに当該案内経路に従って経路案内を行う経路案内処理等がある。
【００２３】
また、制御回路１５は、乗員の操作スイッチ群１４に対する操作に応じてデジタルラジオ装置２０やオーディオ装置３０に各種操作を指示する信号を送出するとともに、デジタルラジオ装置２０やオーディオ装置３０より入力される楽曲データをスピーカ（図示せず）から出力させる楽曲再生機能、デジタルラジオ装置２０やオーディオ装置３０より入力される楽曲データをハードディスクドライブ１２に記憶させるとともにハードディスクドライブ１２に記憶させた楽曲データを再生してスピーカから出力させるサーバ機能等を有している。
【００２４】
デジタルラジオ装置２０は、デジタルラジオ放送を選択受信するデジタルラジオ受信機２１、デジタルラジオ受信機２１により受信された受信データを一時的に記憶するためのメモリ２２、このメモリ２３に記憶された受信データをデコードするデコーダ２３および制御回路２４を備えている。
【００２５】
制御回路２４は、ＣＰＵ、メモリ、Ｉ／Ｏ等を備えたコンピュータとして構成されており、ＣＰＵはメモリに記憶されたプログラムに従って各種処理を実施する。
【００２６】
制御回路２４は、ナビゲーション装置１０より送出される操作指示信号に応じてデジタルラジオ受信機２１にラジオ放送を選択受信させ、デジタルラジオ受信機２１により受信された受信データをメモリ２３に一時的に記憶させるとともに、このメモリ２３に記憶させた受信データをデコーダ２２にデコードさせ、再生データをナビゲーション装置１０へ送出する。
【００２７】
なお、制御回路２４は、楽曲データをメモリ２３に一時的に記憶させ、このメモリ２３に記憶された楽曲データをデコーダ２２に再生させている途中で、ナビゲーション装置１０より録音開始の操作指示が入力されると、その楽曲の先頭から終了までの１曲分の楽曲データをメモリ２３から読み出してナビゲーション装置１０へ送出する処理も実施する。この処理により、楽曲が再生中であっても、その楽曲データを先頭位置からナビゲーション装置１０のハードディスクドライブ１２に記憶させることが可能となっている。
【００２８】
オーディオ装置３０は、ＦＭ／ＡＭのアナログラジオ放送を選択受信するＦＭ／ＡＭラジオ受信機３１、ＣＤ（コンパクトディスク）に記憶された楽曲データの再生を行うＣＤドライブ３２および制御回路３３を備えている。
【００２９】
制御回路３３は、ＣＰＵ、メモリ、Ｉ／Ｏ等を備えたコンピュータとして構成されており、ＣＰＵはメモリに記憶されたプログラムに従って各種処理を実施する。
【００３０】
制御回路３３は、ナビゲーション装置１０より送出される操作指示信号に応じてＦＭ／ＡＭラジオ受信機３１にラジオ放送を選択受信させ、ＦＭ／ＡＭラジオ受信機３１により受信された受信データナビゲーション装置１０へ送出する。また、制御回路３３は、ナビゲーション装置１０より送出される操作指示信号に応じてＣＤドライブ３２に楽曲の再生を指示し、ＣＤドライブ３２より入力される楽曲データをナビゲーション装置１０へ送出する。
【００３１】
乗員認証装置４０は、車両内の乗員が所有する携帯電話機と無線接続（本実施形態では、Ｂｌｕｅｔｏｏｔｈ接続）するための無線インタフェース４１および制御回路４２を備えている。
【００３２】
制御回路４２は、ＣＰＵ、メモリ、Ｉ／Ｏ等を備えたコンピュータとして構成されており、ＣＰＵはメモリに記憶されたプログラムに従って各種処理を実施する。
【００３３】
制御回路４２は、車両のイグニッションスイッチがオンすると、無線インタフェース４１を介して車両内の各乗員が所有する携帯電話機から携帯電話機固有の個別情報（例えば、機器ＩＤ）を周期的に取得し、取得した全ての個別情報を乗員識別情報としてナビゲーション装置１０へ通知する処理を行う。なお、ナビゲーション装置１０への乗員識別情報の通知は、取得した携帯電話機の個別情報に変化があった場合にのみ実施するようになっている。
【００３４】
また、ナビゲーション装置１０の制御回路１５は、この乗員認証装置４０より通知される乗員識別情報をハードディスクドライブ１２に記憶させる処理を実施する。
【００３５】
本実施形態では、車両に乗車する各乗員がＢｌｕｅｔｏｏｔｈ接続機能を備えた携帯電話機を所有しているものとし、ナビゲーション装置１０の制御回路１５は、車両に乗車している各乗員が所有する携帯電話機の個別情報を乗員識別情報としてハードディスクドライブ１２に記憶させるとともに、この乗員識別情報を用いてハードディスクドライブ１２に楽曲データを記憶させた乗員に限定してその楽曲データを再生する処理を実施する。
【００３６】
次に、図２に従って、この処理について説明する。車両のイグニッションスイッチがオンになると、ナビゲーション装置１０、デジタルラジオ装置２０、オーディオ装置３０および乗員認証装置４０は動作状態となり、ナビゲーション装置１０の制御回路１５は、図２に示す処理を開始する。
【００３７】
まず、車両内の乗員の乗員ＩＤ番号を記憶する（Ｓ１００）。具体的には、乗員認証装置４０より通知される乗員識別情報を乗員ＩＤ番号として制御回路１５のメモリに記憶させる。
【００３８】
次に、録音を開始するか否かを判定する（Ｓ１０２）。具体的には、乗員の録音操作に応じてデジタルラジオ装置２０またはオーディオ装置３０から入力される音声データをハードディスクドライブ１２に録音する録音処理を開始するか否かを判定する。
【００３９】
ここで、録音処理を開始すると判定した場合、録音データを格納する（Ｓ１０４）。すなわち、デジタルラジオ装置２０またはオーディオ装置３０から入力される音声データをハードディスクドライブ１２に録音する。
【００４０】
そして、録音データの格納が完了すると、Ｓ１００にて制御回路１５のメモリに記憶された乗員ＩＤ番号を格納ＩＤ番号として楽曲データと関連付けて制御回路１５のメモリに記憶させる（Ｓ１０６）。なお、車両に複数の乗員が乗車しており、制御回路１５のメモリに複数の乗員ＩＤ番号が記憶されている場合には、制御回路１５のメモリに記憶されている全ての乗員ＩＤ番号を格納ＩＤ番号として楽曲データと関連付けて制御回路１５のメモリに記憶させ、Ｓ１００へ戻る。
【００４１】
なお、乗員認証装置４０により新たな乗員を識別するための情報が取得され、乗員認証装置４０より新たな乗員を示す乗員識別情報が通知されると、Ｓ１０２にて、新たな乗員を示す乗員識別情報を制御回路１５のメモリに追加して記憶する。
【００４２】
また、乗員認証装置４０により特定の乗員を識別するための情報が取得されなくなり、乗員認証装置４０より特定の乗員を示す乗員識別情報が通知されなくなると、Ｓ１０２にて、特定の乗員を示す乗員識別情報を制御回路１５のメモリから削除する。
【００４３】
また、Ｓ１０２にて録音処理を開始しないと判定された場合には、ハードディスクドライブ１２に記憶された録音データ（音声データ）の再生指示操作があるか否かを判定する（Ｓ１０８）。
【００４４】
ここで、録音データの再生指示操作がない場合、Ｓ１０８の判定はＮＯとなり、Ｓ１００へ戻る。
【００４５】
また、録音データの再生指示操作があると、Ｓ１０８の判定はＹＥＳとなり、次に、音声データと関連付けて記憶された乗員識別情報（格納ＩＤ番号）に制御回路１５のメモリに記憶された乗員識別情報（乗員ＩＤ番号）と一致するものが含まれるか否かを判定する（Ｓ１１０）。
【００４６】
ここで、音声データと関連付けて記憶された格納ＩＤ番号に乗員ＩＤ番号と一致するものが含まれる場合、Ｓ１１０の判定はＹＥＳとなり、次に、格納ＩＤ番号と乗員ＩＤ番号が一致する録音データのみを表した録音データリストを表示装置１３のディスプレイに表示させる（Ｓ１１２）。具体的には、ハードディスクドライブ１２に記憶された録音データのうち、録音データと関連付けて記憶された格納ＩＤ番号と制御回路１５のメモリに記憶された乗員ＩＤ番号が一致する録音データのみを表示装置１３のディスプレイにリスト表示させる。
【００４７】
次に、このリスト表示させた順に録音データの再生を開始し（Ｓ１１４）、Ｓ１００へ戻る。なお、図示してないが、乗員の再生停止指示操作に応じて録音データの再生を停止する。
【００４８】
また、音声データと関連付けて記憶された格納ＩＤ番号に乗員ＩＤ番号と一致するものが含まれない場合、Ｓ１１０の判定はＮＯとなり、Ｓ１１２の録音データリストの表示やＳ１１４の録音データの再生を実施することなく、Ｓ１００へ戻る。
【００４９】
上記した構成によれば、乗員による再生指示操作があった場合、楽曲データと関連付けて記憶された乗員識別情報に制御回路１５のメモリに記憶された乗員識別情報と一致するものが含まれるか否かを判定し、楽曲データと関連付けて記憶された乗員識別情報に制御回路１５のメモリに記憶された乗員識別情報と一致するものが含まれると判定された場合、乗員識別情報の一致する楽曲データのみ再生される。すなわち、不特定多数のユーザが利用する車両に搭載される場合であっても、ユーザの個人的な利用による楽曲データの再生を可能にすることができる。
【００５０】
また、新たな乗員を識別するための乗員識別情報を取得した場合、新たな乗員を示す乗員識別情報が制御回路１５のメモリに追加して記憶されるので、車両に新たな乗員が乗車した場合に、新たな乗員を示す乗員識別情報と楽曲データと関連付けて記憶された乗員識別情報とが一致する楽曲データを再生させることが可能である。
【００５１】
また、特定の乗員の乗員識別情報を取得しなくなった場合、特定の乗員を示す乗員識別情報が制御回路１５のメモリから削除されるので、車両から特定の乗員が降車した場合に、特定の乗員を示す乗員識別情報と楽曲データと関連付けて記憶された乗員識別情報とが一致する楽曲データを再生させないようにすることが可能である。
【００５２】
また、楽曲データと関連付けて記憶された乗員識別情報に制御回路１５のメモリに記憶された乗員識別情報と一致するものが含まれると判定された場合、乗員識別情報の一致する楽曲データのみが表示装置１３のディスプレイに表示されるので、乗員は再生可能な楽曲データを視認することができる。
【００５３】
なお、本発明は上記実施形態に限定されるものではなく、本発明の趣旨に基づいて種々なる形態で実施することができる。
【００５４】
例えば、上記実施形態では、デジタルラジオ放送２０、あるいはオーディオ装置３０から入力される音声データをハードディスクドライブ１２に記憶させるとともに、ハードディスクドライブ１２に記憶させた録音データを再生する例を示したが、このような音声データに限定されるものではなく、例えば、放送波を受信して得られた映像データやＤＶＤ等に記憶された映像データ、または映像データと音声データの両方をハードディスクドライブ１２に記憶させるとともに、ハードディスクドライブ１２に記憶させた映像データ、または映像データと音声データを再生するようにしてもよい。
【００５５】
また、上記実施形態では、録音データの格納が完了した後に、制御回路１５のメモリに記憶されている乗員ＩＤ番号を格納ＩＤ番号として楽曲データと関連付けて制御回路１５のメモリに記憶させる例を示したが、このようなタイミングに限定されることなく、例えば、録音データの格納と同時に、乗員ＩＤ番号を格納ＩＤ番号として楽曲データと関連付けて制御回路１５のメモリに記憶させるようにしてもよい。
【００５６】
また、上記実施形態では、乗員ＩＤ番号、楽曲データおよび格納ＩＤ番号をハードディスクドライブ１２に記憶させる例を示したが、ハードディスクドライブ１２に限定されるものではなく、例えば、フラッシュメモリ等の記憶媒体に記憶させるようにしてもよい。
【００５７】
また、上記実施形態では、車両内の乗員が所有する携帯電話機と無線接続するための無線インタフェース４１を介して携帯電話機から携帯電話機固有の個別情報を取得して乗員識別情報を通知する乗員認証装置４０を用いて車両内の乗員を識別する乗員識別情報を取得する例を示したが、このような例に限定されるものではなく、例えば、乗員が所有するＥＴＣカードからカード番号情報等を取得してカード番号を乗員識別情報として通知する構成、運転免許証情報を記憶したＩＣチップを内蔵した運転免許証から運転免許証番号等を取得して運転免許証番号を乗員識別情報として通知する構成、乗員が所有する携帯情報端末（ＰＤＡ）の固有の個別情報を取得して個別情報を乗員識別情報として通知する構成としてもよい。また、乗員の手のひら等の静脈パターンを取得して静脈認証を行う静脈認証センサや、乗員の指紋パターンを取得して指紋認証を行う指紋認証センサ等の生体認証センサを用いて車両内の乗員を識別し、乗員識別情報を通知する構成としてもよい。
【００５８】
また、上記実施形態では、ナビゲーション装置１０、デジタルラジオ装置２０、オーディオ装置３０および乗員認証装置４０により車載楽曲再生装置を構成した例を示したが、各装置を一体化して構成してもよい。
【００５９】
なお、上記実施形態における構成と特許請求の範囲の構成との対応関係について説明すると、制御回路１５のメモリ、ハードディスクドライブ１２が記憶手段に相当し、乗員認証装置４０およびＳ１００が乗員識別情報記憶手段に相当し、Ｓ１０４、Ｓ１０６が楽曲データ記憶制御手段に相当し、Ｓ１１０が判定手段に相当し、Ｓ１１４が再生手段に相当し、Ｓ１１４が表示制御手段に相当する。
【図面の簡単な説明】
【００６０】
【図１】本発明の一実施形態に係る車載楽曲再生装置の構成を示す図である。
【図２】車載楽曲再生装置におけるナビゲーション装置の制御回路の処理を示すフローチャートである。
【符号の説明】
【００６１】
１０  ナビゲーション装置
１１  ＧＰＳ受信機
１２  ハードディスクドライブ
１３  表示装置
１４  操作スイッチ群
１５  制御回路
２０  デジタルラジオ装置
３０  オーディオ装置
４０  乗員認証装置
【図１】
2009158034.tif 000003
【図２】
2009158034.tif 000004